(57)【要約】【課題】  歯科診療室のバリアフリー化が行える排水処理系配管の改良を図る。【解決手段】  歯科チェアユニット１０と排水分離器１３を結ぶ排水配管ａにバキュームエア管ｂと接続する合流ユニット２を設置し、ユニット１０接続配管ａの滞留水により浮上するフロート弁２１と、その浮上と下降を補助するフロート受座２３を配設し、手動あるいは自動的にバキュームエア管の端部に設けるシリンジのエア弁スイッチ１１を開作動する、スイッチ回路２７またはスイッチ付設ハンガー５を配設すると共に、排水分離器１３の電磁開閉弁６付き排水出口配管に排水タンク３を併設し、排水タンクに電磁開閉弁７付き加圧空気配管ｃとフロート２２付き水位感知センサ８を、あるいは加える排水排出用の電磁開閉弁１７とともに排水出口配管に配設し、その下流に立上り管９を含む勾配の取れない管路を既設排水配管まで接続し、排水分離器１３操作とは独立して、排水タンク３貯留水の貯留と加圧排出の操作が可能に構成した。【選択図】    図１
2006082067.tif 000002
【特許請求の範囲】
【請求項１】
歯科排液を、歯科チェアユニットから排液管を介して排水分離器に誘導、集水した後に屋外へ排水する、歯科チェアユニットの排水処理系配管において、
排液管（ａ）を、ほぼ「ユ」型に形成する立管部付きの合流ユニット（２）を介して排液移送可能のバキュームエア管（ｂ）に接続し、かつ該立管部の上側開口管壁にフロート受座（２４）を装着して該上側開口を開閉するフロート弁（２１）を設けた上で、前記受座上方管壁に付設し該フロート弁浮上時に通電ＯＮ操作するスイッチ回路（２７）と、歯科チェアユニット（１０）に付設し、バキュームシリンジの仮置き時にバキュームエア弁スイッチ（１１）を自動的に開作動可能にする仮置きのハンガー（５）を選択的に配設して、ハンガー内設のバキュームエア弁ＯＮ／ＯＦＦ機構（２６）を含むバキュームエア弁開閉機構をＯＮ／ＯＦＦ操作して、排液を合流ユニット（２）上流側排液管（ａ）に溜めてからバキュームエア管（ｂ）へ流下させ、ついで前記エア弁スイッチを手動またはエア弁開閉機構を介して自動的に開にＯＮ操作して排水分離器（１３）に強制集水させることを特徴とする歯科チェアユニットの排水処理系配管。
【請求項２】
請求項１記載の排水分離器（１３）が、集水した歯科排液（ａ）を抜き出して一時貯留する排水タンク（３）を併設し、該排水タンクには、排液水位に上下するフロート（２２）と、該フロートを検知する水位感知センサ（８）と、該センサによって作動するＯＮ−ＯＦＦスイッチ（１８）と、該スイッチの作動によって、前記排水分離器からの排水を受け入れる電磁開閉弁（６）付きの入口配管と、排水タンク（３）の内圧を高める加圧空気を導入する電磁開閉弁（７）付きの加圧空気（ｃ）配管と、あるいは加えるタンク貯留水排出用の電磁開閉弁（１７）を付設する出口配管を配設して、排水タンク（３）内の排液貯留と加圧空気注入の交互操作を制御し、該排水タンクの出口配管下流管路内滞留水の強制排除を行う排水処理手段を、分離して構成したことを特徴とする歯科チェアユニットの排水処理系配管。
【発明の詳細な説明】
【技術分野】
【０００１】  本発明は、屋内に発生する排水を円滑に移送処理する配管技術に係り、特に一般テナント用建物に歯科診療室を施設する場合に、障害となる歯科排液移送の問題点を解決するもので、排水配管のために床面に凸部ができ、それが患者の歩行障害にならないようにするバリアフリー化対策に関するものである。
【背景技術】
【０００２】  一般テナント用建物内のテナント室は、特殊用途の給排水設備を必要とする利用者にとって、業務により生ずる排水が自然流下できるかが大きな関心事になる。その配管処理のために、既存の床上に床下空間を特設したり、新規な床面を構築して配管用空間を設けるか、配管上面にスロープ状床を設けて歩行障害を軽減する。これらの対策は、各種建築構造物に対するバリアフリー化対策の解決手段を提供してない。特に汎用性や経済効率を優先する建築構造から成るテナント建築物に医院や歯科医院を開設し、患者を迎える借り手には、排水処理に伴うバリアフリー化の根本的な技術的処理が望まれている。【０００３】  図６に示すように、例えば歯科医院では特殊な診療設備に伴う特殊な給排水設備を必要とする。歯科用チェアユニット１０にはその上に仰臥する患者を治療するために、バキュームエアｂ、加圧空気ｃ、給水ｄが供給され、回収される治療処理液はバキュームシリンジ１０ａによって吸い出す。排液ａは、接続する排水分離器１３を介して屋外排水管１５へ、またはバキュームタンクを介して室外に排出される。口内洗浄用に設けたスピットン１０ｂから出る排液ないし排水ａはユニット用排水管に集め、自然流下で屋外に排水する。あるいは図示のように、排水分離器や、ここに図示しない洗浄・消毒槽を介して強制排水される。なお処理液とは、唾液、洗浄液などの液状物や切削歯牙を含む。処理液に対する排液洗浄または消毒処理は本発明の技術課題ではないので本件記載内容から省く。【０００４】  歯科用チェアユニット１０から断続的に発生する排液量は、１日８時間で合計約１０リットルである（特許文献１）。１時間２〜３人の患者を診療した場合、１人１回当たり平均０．４〜０．６リットルの排液量となる。約３．５リットル容量の市販の排水分離器（約２２０ψ×３００Ｈ、槽底設置高約２８０、排液流入ＶＰ管２５ψ、排水出口ホース３８ψ、単位ｍｍ（型番Ｈ２−１４、（株）東京技研製））を用いれば、平均１日３回に計算される自動排水が行われる。
歯科用チェアユニット１０から排水分離器１３への排液ａの移送は、常時バキュームエア操作で行われるので、不定期、頻繁に生じる前記ユニット排液は、発生するたび毎に吸引されて、排水分離器１３に貯留される。該排水分離器の貯留量が増し器内フロートが水位センサの作動位置まで浮上すると、制御スイッチがＯＮ作動して、貯留する一定量が分離器内から排水される。【０００５】  屋内から既設排水管１５へ排出する場合、設置する排水配管には排水が流下し易い落差（配管勾配）が必要である。歯科用チェアユニット１０から排水分離器１３までの間や、排水分離器から既設排水管までの間に他の設備配管や備品があって配管勾配が得られなければ、その障害を避けるために歯科用チェアユニット１０の設置計画は変更を余儀なくされる。ときには当初計画のチェアユニット設置台数を減らさなければならない。その障害を避けられない最も不幸な場合が起これば、その診療室の開設は不可能になる。【０００６】  歯科用チェアユニット１０から出る排液を排水分離器１３へ移送するに当たって、通常はバキュームシリンジ１０ａの操作によって、排液発生のたびに該排水分離器まで吸引処理される。スピットン１０ｂから生じる排水は自然流下により屋外排水管１５へ排水される。あるいは該スピットンの排水はバキュームエア管内に一時滞留し、バキュームシリンジ１０ａの作動時に排水分離器１３まで吸引処理される。従って頻繁に該バキュームシリンジが使われれば、スピットン排水の管内滞留量は少ない。しかしユニットを清掃する際には管内排水量は多くなる。その時は、バキューム作動機会は少ないので、バキュームエア管内の滞留量は過大になる。結局は、バキュームエア作動による排液処理は不定期であって、排水排除に使われる作動時間は一定しない。結局は排水移送効率は低く、エア消費時の騒音は、発生時間も継続時間も制御できず、さらにバキュームエアの消費エネルギー効率が低いままであるという問題が生じる。この排液移送例では、一般に排水分離器は、バキュームブロア装置に隣接してともに機械室に設置されている。広さに余裕のないテナント室にとっては、この機械室設置例は、いつでも適用できる参考事例にはならない。【０００７】  前記例に加え他の原因で、テナント用居室に医療器械を配置できない場合がある。特に排水分離器を診療室に置き、給排水以外の機能を加えた医療バックアップ装置をコンパクトな広さの機械室に設ける場合である。ここで給水、バキュームエア、加圧空気、動力線、信号線などの配管や、配線網の布設には空間的制約はないが、排液排水を排除するには流下できる高低差があるか否かが大問題である。
具体的には診療室内の排水分離器からの排水配管が、患者が出入りするドアなどの開口部を越えて居室外の既設排水配管に接続しなければならないときに、流下に必要な落差をつけて排水配管を行えば、その配管が歩行の障害になるという点である。【０００８】  発明者は、歯科診療室などの特殊用途の居室において、そこで発生する排水に係わる技術的困難を除去できれば、テナント用居室に医療器械を自由に配置計画できる。そしてこの技術解決が解決すれば、人口集中地域の医療サービスを高める点に着眼した。その解決に当たって、バキュームエアや加圧空気を利用できる医療バックアップ装置が活用できること、次いで排水が発生するたび毎の処理量が微量である点を考慮すれば、排水処理の効率化が行え、医療器械の発生騒音の抑制が果たせる点に想到した。
そこで発明者はさらに研究を進めて、歯科診療室においてユニット清掃時などを除けば、歯科用チェアユニットから排水分離器までの配管が２５ψＶＰ管（内容積が管長１ｍ当たり約０．９リットル）であり、患者１人１回当たり平均０．４〜０．６リットルの排液発生量の排水特性に技術解決の可能性があることに気付いた。
排水分離器から既設排水管までの配管横断区域に出入口ドアの開閉区域があったり、床面に適正な排水勾配が得られない障害があれば、管内は排液で塞がれる。発明者は、この配管が塞がれる技術的課題を考究した際に、強制的に排水する解決法に思い至った。合わせてこれらの技術解決を自動処理する付加的手段を検討した。ここに、逆勾配の配管や、排水配管に他の排水障害がある区域を、以下、排水障害域という。
【特許文献１】特開２００２−１９２１５７号公報
【発明の開示】
【発明が解決しようとする課題】
【０００９】  解決しようとする問題点は、微量づつ発生するスピットン排水を適量集水し、その排水量を強制移送を可能とする排水管に自動的に移せないかという点、また不定期に発生する排液とバキュームエアの処理を排水分離器に行わせた後、排水分離器以降の排水処理を効率化できないかという点、さらに排水分離器以降の排水配管において自然勾配が取れない配管区域が存在する場合に、逆勾配であっても排水できる排液排出手段を配設できないかという点、である。
【課題を解決するための手段】
【００１０】  本発明は、歯科チェアユニットからの歯科排液を排水分離器に集水する排水配管を直接、排水分離器に集水しないで、配管途中に、ほぼ「ユ」型に形成する合流ユニットと、その立管部に設けるフロート弁と、排液が滞留して生ずるフロート弁浮上によって、自動的に立管部上流側の排液を立管部下流側のバキュームエア管に移し、移した排液を常時閉のバキュームエア弁スイッチを開作動へと連動操作させることによって、シリンジ処理排液と共に排水分離器に吸引可能にし、あるいはバキュームシリンジを仮置きするハンガーを配設し、そのハンガーにシリンジのバキュームエア弁を限時的にスイッチ開側に作動させる自動化ＯＮ／ＯＦＦ機構を付設した上で、排水分離器に集めた歯科排液を抜き出して一時貯留後に排出する排水タンクを併設し、排水タンクの水位感知センサと排水分離器排水受入用の電磁開閉弁付き入口配管と加圧空気でタンク内圧を高める電磁開閉弁付き加圧空気配管とタンク内一時貯留水を排出する出口配管と、あるいはタンク出口配管に排水排出用の電磁開閉弁を加えて配設し、排水タンク内の排液貯留と加圧空気注入の交互操作により、排水障害域の出口配管下流管路内滞留水の強制排除を可能にする排水処理手段を構成したことを特徴とする。
【発明の効果】
【００１１】  本発明は、歯科排液を屋内設置の排水分離器へ集水する際に、まず歯科チェアユニットからの歯科排液をフロート弁機構を付設して排液管内に一時滞留するようにし、そこから合流ユニットを介して、接続するバキュームエア管を排水移送管に兼用して強制移送する構成にしたので、バキュームエア管へ排水を移動するのに排液の浮力や流下の自然現象を利用でき、バキュームエア管内滞留排水の排水分離器への集水処理では一括吸引したので、バキュームエアの消費回数と量を減少できた。バキュームシリンジの使用時に生じる吸引処理操作とは別に、排液管内滞留量に応じて生じるフロート自動操作によって、あるいはシリンジハンガーの仮置き手段にシリンジを装着するだけで排水自動化が行えるので、バキュームエア管滞留水を管内に長期放置すると生じる不衛生状態を起こさせない。従ってバキュームエア作動時間をコントロールでき、バキュームエア発生騒音時間が制御できる。結局は電力消費を減少し、バキュームエア消費効率を向上させた。【００１２】  屋内の排水配管から逆勾配になる排水障害域の排水を、既設排水配管まで排水処理するに当たって、常時、歯科排液を受け入れて貯留する排水分離器とは別に、強制排出専用の排水タンクを設置し、排水分離器との接続配管に流路を遮断する電磁開閉弁を併設したので、排水タンク内に加圧空気が注入できるようになった。新設タンクに供給する加圧空気によってタンク内排水を排除する作用圧力が生まれ、排水タンク出口配管下流側にある排水障害域の配管内滞留水を含めて、加圧空気圧が障害のない区域の排水管まで滞留水を強制的に押し出せる。滞留水を押し出す前の溜まり勝手の前記配管内排水は、常時は排水タンクの出口閉止弁の役割を果たし、加圧時はタンク内圧を高めるプラグ効果を兼ねることができる。自然勾配が取れないで管内を閉塞していた出口配管内滞留水には、加圧操作により一挙に排除圧が生じて強制排水を可能にした。
【発明を実施するための最良の形態】
【００１３】  歯科チェアユニットと排水分離器を接続する排水配管に、立管部を介してバキュームエア管を合流させるほぼ「ユ」型の合流ユニットを設置し、「ユ」型上流側に排水を一時滞留させ、「ユ」型立管部上側に浮上するフロートを配設して弁とし、「ユ」型立管部下流側にバキュームエア管を接続して排液移送管として排水分離器に配管接続した上で、フロート弁浮上時に作動するように、その上部管壁に通電ＯＮ操作するスイッチ回路を設け、あるいはバキュームシリンジを仮置きするハンガーを歯科チェアユニットに加えて配設し、そのハンガーにバキュームシリンジのバキュームエア弁のスイッチを開作動させる自動化ＯＮ／ＯＦＦ機構を付設して、前記スイッチ回路がＯＮ作動すると、エア弁開閉機構を開動作させると共に、スイッチ回路の磁力発生器をＯＮ作動させて、フロート側に付設する着磁板を吸着し、フロート弁を浮力による中空保持から着磁保持に限時的に切り替える。【００１４】  次いで、排水分離器に集めた歯科排液を抜き出して一時貯留後に排出する排水タンクを併設し、排水分離器出口に常時開の電磁開閉弁付き入口配管を介して接続する排水タンクと、排水タンクに付設する常時閉の電磁開閉弁付き加圧空気配管と、スイッチ付設のフロート付き水位感知センサを内設した上で、排水タンク貯留水位の上昇によってタンク内フロートが浮上してスイッチをＯＮ作動させ、次いで排水受入用の電磁開閉弁を閉じて後に、加圧空気用電磁開閉弁を開き、タンク内圧を昇圧し、あるいは排水タンク出口配管に加える排水排出用の電磁開閉弁を開き、所定空気圧下で一定時間、各弁状態を排水排出操作状態に保持し、最後に加圧空気用電磁開閉弁を閉じ、あるいは加える排水排出用の電磁開閉弁を閉じ、排水受入用電磁開閉弁を開く排水貯留操作を行い、これらの排水タンク内の排液貯留と加圧空気注入とを繰り返して、タンク内の排液を出口配管下流管路内滞留水とともに排除する排水処理手段を実現した。
【実施例】
【００１５】  図１は、本発明の、歯科チェアユニットの排水処理系配管を説明するもので、（Ａ）は配管側面の概要を示す系統図、（Ｂ）は同じくその配管平面図（実施例１）、図２は、本発明による、合流ユニットを説明するもので、（Ａ）はその全体構造を示す側断面図、（Ｂ）はそのフロート受座を示す平面図、（Ｃ）はフロート受座の撓み板を示す平面図（実施例２）、図３は、同じく排水タンクを説明し、その構造を示す部分側断面図（実施例３）、図４は、同じくバキュームエア弁開閉機構を説明するもので、（Ａ）はフロート弁周りに付設するスイッチ回路を示すブロック図、（Ｂ）はバキュームシリンジの仮置きハンガーの構成を示すブロック図である（実施例４、５）。
図１に示すように、実施例１の歯科チェアユニット１０は、歯科排液ａを排出し、バキュームエア弁スイッチ１１が開状態の時にバキュームエアｂによって排水分離器１３へ移送する。ここで排液ａは搬送に用いたバキュームエアｂと分離する。そして適切な排水勾配が得られない排水障害域を乗り越えて最終排出するために、排液排水を排水タンク３へ一時移動させて貯留する。
歯科チェアユニット１０から出た排水管ａに、バキュームエア管ｂと接続させるほぼ「ユ」型形状の合流ユニット２を設けて、バキュームエア管ｂを排液の移送管に切り替えて排水分離器１３に移送する。このとき該移送管に立上り管９を設けても差し仕えない。
排水分離器１３と排水タンク３の接続配管には、常時開の電磁開閉弁６を付設する。
詳細を後述する排水タンク３の上部には、圧力制御弁２０、常時閉の電磁開閉弁７、逆止め弁１９を付設する加圧空気配管ｃを配管する。加圧空気配管ｃの操作状態によっては半自動的に圧力制御操作を行う電磁開閉弁７の付設のみでもよい。
排水タンク３の、最終排出先にある既設排水管の状況によっては、加圧空気ｃ放出時に生じる排水飛散を防ぐため、新規配管の排水吐出口に、邪魔板を付設するクッションタンク１６を介して既設排水配管１５に配管接続する。【００１６】  なお排水タンク３から排水ａを排出する出口配管に、タンク内加圧時に効果的に一時貯留水を排出するため、常時閉の電磁開閉弁１７をあるいは加えて設ける。この場合では、加圧空気ｃによる貯留水の排出量が一定になり、加圧空気の圧力制御を行い易くなるとともに、電磁開閉弁１７の設置位置によって排水タンク３出口座から配管閉止弁位置までの滞留量を、貯留量に加えることが出来る。例えば排水出口ホース３８ψ管長１ｍ当たりの滞留量１．２リットルは約１時間分、患者２，３人分の排液発生量に相当する。この管内滞留量を排水タンクの設計に考慮すれば、該タンク大きさを小容量に形成できる。さらに電磁開閉弁１７設置以降の下流配管内は常時空状態が保持でき、管内をほぼ乾燥勝手にして衛生的にすることができる。
ここに、二重実線は排液ないし排水管、破線は吸気ないしバキュームエア管、二重破線は加圧空気ないし加圧空気配管、実線は給水を、また破線矢印はバキュームエアの吸気方向、二重破線矢印は加圧空気の加圧方向を、さらに二重実線と破線の合併線ないしａ＋ｂは搬送用バキュームエアと排液との混合流体またはその混合配管を、ａ＋ｃは加圧空気によって移動する排水の状態を、それぞれ示す。【００１７】  実施例２として図２に示すように、同図（Ａ）に示す合流ユニット２は、図示右側をプラグで閉じたほぼ「ユ」型に形成したもので、上方から下方に位置決めした立管部を通じて上側管の排液管ａから下側管のバキュームエア管ないしエア・液混合管ｂへ排水を移せるように配設している。該立管部の上開口壁にはフロート受座２３を嵌めて装着して該上開口壁を開閉するように載せるフロート弁２１を排液管ａ内に設けている。該フロート弁の上方、合流ユニット２の上部管壁には、プラグとともに点検口となる開閉蓋４を設ける。なおフロート２１の浮力は、上側管の排水管ａ管径とバキュームエアの真空度の設定に従って調整される。
フロート弁２１は、内部空洞の中に浮力調整剤２５が注入できる栓座１４を着脱自在に設けてあり、そのフロート外壁面は、付着物が付着しにくい平滑状に仕上げてある。浮力調整剤２５には、流動性の高い粉末や液状物が望ましい。【００１８】  同図（Ｂ）に示すように、管内に排液が充分滞留しないときのフロート受座２３は、フロート２１を載せて、排液が下側に流下しないように前記立管部の上開口部分を密閉し、排液が滞留して該フロートが浮上するようになると、該上開口部分の上方範囲から外方へ逸脱しないように立設する複数の柵２４の構成によって柵内で回転するようになっている。その柵高さは、浮上と落下を繰り返すフロート２１が所定範囲内からはみ出さない範囲内とし、該柵のそれぞれには、柵上下の同側壁に排液が通過する際に柵内に回転流を生じさせるスリット状の隙間を形成する、先端薄形で可撓性のほぼ翼ブレード状に拡げたガイド片２４ａを形成、付設してある。
フロート２１の下側を受け止めて開口面を閉じるフロート受座２４のフロート接触面は、フロート形状に線接触で全閉出来るように形成する。できれば浮力調整剤２５が動いて垂下荷重が変化するフロートの接触荷重の変化に応じて受座素材が可撓性を現す加工物でフロート受座を形成する。例えば軟質プラスチックで基体を形成し、要所に硬質プラスチックや金属薄板を含む硬質化可能の被膜を貼着または埋め込んで、フロート受座周縁部などにバネ性状を付与することが、フロート外壁面の擦過清浄作用にとって望ましい。
柵２４の内側には、フロート２１がフロート受座２３と密閉状に当接するほぼ円形状のフロート閉鎖位置停止時接触部外方のさらに内側位置に、排液流下口を形成、開口させてある。該排液流下口の外側には均等に案分したスリット口３１を放射状に付設してある。【００１９】  同図（Ｃ）に示すように、フロート受座２３には、その下面に撓み板１２を配設して前記立管部外壁面との間に挟設する。撓み板１２は、外方にほぼ放射状に配置する星形開口を含む開口部を付設し、星型開口のそれぞれには、外方から中心に向かって立ち上がる折立て部３２を可撓可能な素材で形成し、撓み板１２がフロート受座２３に組み立てられるときに、該折立て部の上向き端片がフロート受座のスリット口３１から覗く位置に設置される。
撓み板１２は、フロート２１が前記フロート受座に当接して閉鎖状態にある場合には、同図（Ａ）に示すように折立て部３２が該フロートの重みで撓んで下側に突出する。フロート２１が浮上し、その後、下降する場合には、撓み板１２の折立て部３２が該フロート下面に当接して支え、フロートの下降を遅らせ、減少する残留水が排液管から排水流下する現象が継続するように、閉鎖を遅らせる補助手段となる。【００２０】  撓み板１２の動作は、図５に示すように、フロート弁２１が初期状態でフロート受座２３に当接して密閉しているときは、同図（Ａ）に示す撓み板１２の折立て部３２の先端がフロート荷重によって押し下げられ、該撓み板中央側端部は下方に撓んでいる。このとき、フロート内の浮力調整剤２５は中心に集まって垂下荷重は最も大きく、スリット口３１内側に位置する折立て部３２は、フロート以外に接触しないようにセットされている。
同図（Ｂ）に示すように、滞留する液が増加してくると、フロート弁２１は初期状態から浮上状態に移る。浮上を始めるとここに記載しない撓み板の折立て部が浮力補助を行う。
そして同図（Ｃ）に示すように、充分に浮き上がったフロート弁２１は排水の流水作用により回転し、その遠心力によって前記浮力調整剤は飛散し、下向き荷重は軽減し、生じた遠心力によって柵２４の付設ガイド片２４ａにより該フロート外壁面は清掃される。
排水の勢いが減退すると、該フロート弁の回転は弱まり、周囲に散乱していた浮力調整剤は球内中心に戻り、折立て部３２はフロート弁荷重を多く受けるようになる。しかし、該折立て部がスリット口３１の端面との接触抵抗を受けて一度にフロートが急落下する荷重に対抗する撓みが生じる。従って、撓み板１２の挿設により、フロート弁２１がフロート受座２３にストンと戻ることはなく、上側の排液管ａ内排水の流下が長く継続できる作用が生じる。【００２１】  このように合流ユニット２を構成することによって、浮上と落下を繰り返すフロート２１がフロート受座２３の柵２４からはみ出さない作用と同時に、流下排水のフロート周りの流れに一定方向の指向性を持つ回転が得られる。例えば、排液がフロート２１を回転させ、その回転運動中に該フロート表面を柵２４に擦り付ける動作が生じる。従って切削歯牙や歯垢、膿などがフロート壁表面に付着しても清掃されると共に、それら不要物が仮に付着してもフロート表面からの払い落とし機会がガイド片２４ａによって生じる。またフロート静止時に接っするフロート受座２３とのフロート接触面は、フロート３１が適度に回転することによって擦過洗浄効果が生じ、フロート受座２３開口部の開閉面を常に平滑にできる。また前記フロートとフロート受座の可撓性素材加工物で成形する接触面は、管内の滞留量の状態によって当接位置不定、流動的な線接触状態で当接するので、フロート２１が浮上する際には、密着性が弱く、従って該接触面から離れ易く、管内排水の流下排出に支障を起さない。
合流ユニット２本体はＶＰ管によって加工形成することができる。この素材選定によって、その前後の配管が通常、ＶＰ管であるので接続に都合がよい。フロート２１は半球形プラスチックで形成し、その内部の浮力調整重錘としてエタノールを含めて封入すれば浮上時間延長を調整できる。【００２２】  実施例３は、図３に示すように、排水タンク３には浮上フロート２２と、スイッチ接点部１８より装着ロッドを挿通する中空管を垂設して、該フロートのガイドを兼ねた水位感知センサ８と、該装着ロッドが所定位置まで上昇するとスイッチ接点部を作動して、ここに図示しないスイッチを内設する電気回路に通電し、排水受入用電磁開閉弁６の閉、加圧空気用電磁開閉弁７の開、タンク内設定圧上昇後に貯留水排出用電磁開閉弁１７の開、の排水操作と、その操作の一定時間後に、電磁開閉弁７と、次いで電磁開閉弁１７の閉、最後に電磁開閉弁６の開操作が行われるようになっている。なお、排水タンク３直胴部のほぼ中央には排水分離器１３からの排水を受け入れる入口配管口座と、該排水タンク下部に一時貯留水排出のための排水配管口、および上部蓋に加圧空気の配管口を配設する。【００２３】  １日排液発生量約１０リットルの内、約３リットル分を１回の排水排除タンク容量とすれば、排水タンク実質容量高２００ｍｍを排水の上位水位に設定するとき、タンク内径１５０ψの場合でタンクの貯留水排除量は約３．５リットル／１回、排水タンク排水配管口以降１ｍ位置に電磁開閉弁１７を配設する場合、タンク内径１２０ψで前記排除量は、３８ψ配管分１．１３リットルを加えて約３．４リットル／１回と設計される。そして加圧空気の空気圧は２ｋｇ／ｃｍ２Ｇ以下で操作される。この程度の内圧に耐える可撓性排水配管の素材選択は容易である。なおタンク内径１５０ψの場合に１ｍ分の配管滞留量を貯留分に活用するとき、１日２回の排水サイクルになる。以上の実施例において、直胴部上下蓋部分を除く排水タンク３の有効高さは４００ｍｍである。
排水タンク３から、出口配管に立上り管９を設けた場合に、出口配管の主要部分の管材としては、少なくとも常用２ｋｇ圧の耐圧性があるホースを用いることが望ましい。このホース素材によって、幅木や框や壁などの構造内部に、はめ込み配管が可能となる。ただし加圧空気操作時に生じる衝撃による振動抑制のため、その制震バンドによる固定処理が適宜に設計、施工される。【００２４】  実施例４と同５は、歯科チェアユニットに接続する排液管とバキュームエア管ｂに滞留する排水を、両管内から排除し排水分離器１３に移送するための、バキューム用のエア弁開閉機構の構成を示すものである。
実施例４は、合流ユニット２に設けるフロート弁２１の浮上運動に連動するエア弁開閉機構を示す。すなわち上流側排液管ａの合流ユニット２立管部開口位置に近接スイッチを含むセンサー２９を設置し、該センサーが前記フロート弁の浮上を感知すると、電源がＯＮ／ＯＦＦするスイッチ回路２７を設ける。該スイッチ回路がＯＮ作動すると、バキュームシリンジのエア弁スイッチ１１やバキュームエア配管の適宜管端位置に特設し、通電により開作動する電磁開閉式のエア弁１１を、または実施例５において後述するエア弁開閉機構２６とともに該機構によって作動するエア弁１１を配設する。
前記スイッチ回路には、そのＯＮ作動に連動して励磁する励磁板付設の磁力発生器３３を、選択的に併設する。
望ましくは、センサー２９は、ここに図示しない上流側排液管ａ管壁から垂設する細管に感知部を設け、フロート弁２１には中央の上下に貫通する開孔を設けて前記細管を挿通させる。磁気発生器３１の励磁板は挿通する細管外壁に、センサ２９の感知部は細管の適宜個所に設ける。一方、フロート弁２１の開孔部には、前記励磁板と前記感知部に対応する着磁板とセンサ励起部を配設する。そしてフロート弁２１の浮上感知時には、該フロート弁の一部は前記励磁板の作用範囲に存在するように、両者の相対関係を予め定めておく。なお、３０は電源、実線矢印は主手順、点線矢印は副手順、破線矢印は副手順二次作用、細点線矢印は終手順、それぞれの働き掛けを示し、丸数字は動作順を示す。【００２５】  上流側排液管ａの滞留排液が増加してフロート弁２１を浮上させると、センサ２９が感知して電源ＯＮ−ＯＦＦスイッチ回路２７をＯＮ作動させる（１）。引き続いてバキュームエア弁１１が開操作し（２）、ほぼ同時に磁力発生器３３がＯＮ作動する（３）。該磁力発生器の励磁板に磁界が生じると、フロート弁２１の頂部または励磁板に当接または極近接するフロート弁側着磁板が、前記磁力発生器によって吸着し、中空に保持される（４）。フロートの中空保持までの移行期間は、前記した撓み板１２が浮上保持を補助する。
フロート中空保持が所定時間継続すると、スイッチ回路２７はＯＦＦ作動し、順次、バキュームエア弁１１の閉操作、磁力発生器３３のＯＦＦ作動が処理される。そして前記励磁板の磁力は解消し、前記着磁板は剥離し、自重によりフロート弁２１は落下する（５）。【００２６】  実施例５では、図４（Ｂ）に示すように、バキュームシリンジ１０ａを不使用時、歯科チェアユニット１０に仮置きするとき、シリンジのエア弁スイッチ１１をＯＮ−ＯＦＦして、前記上流側排液管の滞留排水をバキュームエア管ｂに移送する構成にしたものである。
本発明による仮置き用のハンガー５は、バキュームシリンジ１０ａを該ハンガー内に挿入して仮置き保持するもので、該シリンジにすでに付属するバキュームエア弁スイッチ１１がハンガー５内の一定位置に仮固定されるように形成する。そして該一定位置に前記エア弁スイッチをセットすると弁の開操作を可能とする可動部分を付設するバキュームエア弁ＯＮ／ＯＦＦ機構２６が組み込まれて、ハンガー５を構成するものである。
ハンガー５は、乾電池や充電器に接続する電源３０に通じる電源ＯＮ／ＯＦＦスイッチ回路２７に、定時設定付き回路を有するタイマー２８を接続し、一定時間毎に該スイッチ回路がＯＮすると連接するバキュームエア弁ＯＮ／ＯＦＦ機構２６が起動する。該ＯＮ／ＯＦＦ機構の可動部分は、バキュームエア弁スイッチ１１の開側に押圧し、当該エア弁を開状態に一定時間、保持する。設定するタイムラグ後にバキュームエア弁ＯＮ／ＯＦＦ機構２６がＯＦＦ状態に戻れば押圧操作は解除され、バキュームエア弁スイッチ１１は復帰バネの機能によって、常時閉の初期状態に戻る。このスイッチ１１開、開保持タイムラグ、スイッチ１１の押圧解除などの一連の操作は、ハンガー５にバキュームシリンジ１０ａをセットしたままで、自動的に繰り返される。
さらに、点線枠内に図示する構成によって、排液が滞留するバキュームエア管ｂ内に湿度スイッチや湿度センサからなる水位センサ２９をハンガー５の構成に加え、または該水位センサとタイマーと併設して、バキュームエア弁ＯＮ／ＯＦＦ機構２６を作動させるようにしても良く、前記実施例４記載のフロート弁２１に連係してエア弁開閉を自動化するハンガー５の構成にしても良い。
なお、ハンガー５に仮置きするバキュームシリンジ１０ａの吸気口周囲を、バキュームエアの取り入れ効果をできるだけ減退させない構造で囲み、吸気時の騒音を減少させる吸音構造を併設して、ハンガー構造を形成することが望ましい。【００２７】  本発明による排水タンク３の設置によって、歯科チェアユニット１０から不定期に発生する歯科排水を排水分離器１３で貯留し、この貯留操作とは独立して排水排出操作を加圧空気の注入操作によって効果的に処理できる利点を得た。しかもその操作を実現するために排水配管を自然勾配で布設する必要はなく、排水途中に立上り管９を含めて乗り越える排水障害域の排水処理を既設排水配管まで容易に移送する排水設備に改良できた。
【産業上の利用可能性】
【００２８】  本発明によれば、テナント用居室ないしテナント室類似の住環境に設け、必要なバックアップ装置を有する歯科以外の医療施設において、診療設備配置から生じる排水とその処理を、たとえ自然流水が行えない排水障害区域が存在しても、居室内にバリアフリー化を達成する排水処理配管を布設することが出来る。従って既設の旧医療設備では排水配管に難点が無くバリアフリー問題は生じなかったが、導入する最新先進装置によっては、排水勾配に難点が生じ、設備更新ができない例は多い。このような場合には、本発明手段を採用して、排水の技術的課題を解消できる。本発明は、同様な排水難問題に悩む、異なる医療施設や検査施設、医歯科などの特殊教育施設に対して、従来手段ではバリアフリー化ができなかった用途目的の施設に対して、その排水障害域の解消手段に広く適用できる。
【図面の簡単な説明】
【００２９】
【図１】本発明の、歯科チェアユニットの排水処理系配管を説明するもので、（Ａ）は配管系統の概要を示す側面図、（Ｂ）は同じくその配管平面図である（実施例１）。
【図２】本発明による、合流ユニットを説明するもので、（Ａ）は全体構造を示す側断面図、（Ｂ）はそのフロート受座を示す平面図、（Ｃ）はフロート受座の撓み板を示す平面図である（実施例２）。
【図３】本発明による、排水タンクを説明するもので、その構造を示す部分側断面図である（実施例３）。
【図４】本発明による、バキュームエア弁開閉機構を説明するもので、（Ａ）はフロート弁周りに付設するスイッチ回路を示すブロック図、（Ｂ）はバキュームシリンジの仮置きハンガーの構成を示すブロック図である。（実施例４、５）。前記（実施例４）
【図５】本発明による、合流ユニットの作用を説明するもので、（Ａ）はその合流開口部閉鎖位置接触部材を示す部分側断面図、（Ｂ）はその閉鎖初期フロートの状態を示す側面図、（Ｃ）は浮上するフロートとその接触部材を示す部分側断面図である。
【図６】従来技術を説明するもので、その排水工程の概略を示すブロック図である。
【符号の説明】
【００３０】  １          排水処理系配管
２          合流ユニット
３          排水タンク
４          開閉蓋
５          ハンガー（バキュームシリンジ用）
６          排水受入用電磁開閉弁
７          加圧空気用電磁開閉弁
８          水位感知センサ
９          立上り管
１０          歯科チェアユニット
１０ａ        バキュームシリンジ
１０ｂ        スピットン
１１          バキュームエアの弁スイッチ、エア弁（常時閉）
１２          撓み板
１３          排水分離器
１４          栓座
１５          屋外排水配管
１６          クッションタンク
１７          貯留水排出用電磁開閉弁
１８          スイッチ接点部
１９          逆止め弁
２０          圧力制御弁
２１、２２    フロート（弁）
２３          フロート受座
２４          柵
２４ａ        ガイド片
２５          浮力調整剤
２６          バキュー厶エア弁ＯＮ／ＯＦＦ機構
２７          電源ＯＮ／ＯＦＦスイッチ回路
２８          タイマー
２９          水位センサ（配管内）
３０          電源
３１          スリット口
３２          折立て部
３３          磁力発生器
ａ          歯科排液（管）
ｂ          バキュームエア／吸気（管）
ｃ          加圧空気（管）
ｄ          給水（管）
ｅ          電気（配線）
Ｆ          フロート閉鎖位置停止時接触部
Ｌ１          排水タンク内下位水位
Ｌ２          排水タンク内上位水位
【図１】
2006082067.tif 000003
【図２】
2006082067.tif 000004
【図３】
2006082067.tif 000005
【図５】
2006082067.tif 000006
【図４】
2006082067.tif 000007
【図６】
2006082067.tif 000008